(57)【要約】【課題】コンクリート構造物のひび割れの前兆の検知が可能となり、また少なくともひび割れを初期に検知できるコンクリート構造物を提供すること。【解決手段】コンクリート構造物が単層又は仮想的に複数の層からなり、各層内には該コンクリート構造物にひび割れを引き起こす程度の応力で破壊するカプセルが分散しており、異なる層内に存在するカプセル内にはそれぞれ異なる色の有色液、例えばインクが収容されている、コンクリート構造物。【選択図】なし【特許請求の範囲】
【請求項１】
コンクリート構造物内に該コンクリート構造物にひび割れを引き起こす程度の応力で破壊するカプセルが分散しており、該カプセル内に有色液が収容されていることを特徴とするコンクリート構造物。
【請求項２】
コンクリート構造物が仮想的に複数の層からなり、各層内には該コンクリート構造物にひび割れを引き起こす程度の応力で破壊するカプセルが分散しており、異なる層内に存在するカプセル内にはそれぞれ異なる色の有色液が収容されていることを特徴とするコンクリート構造物。
【請求項３】
カプセルが微粉末骨材又は微粉末セラミックスとバインダーとの混合物から成形したものであるか又は微粉末骨材又は微粉末セラミックスから焼結により成形したものである請求項１又は２記載のコンクリート構造物。
【請求項４】
有色液がインクである請求項１、２又は３記載のコンクリート構造物。
【発明の詳細な説明】
【技術分野】
【０００１】
本発明はコンクリート構造物に関し、より詳しくはコンクリート構造物のひび割れを早期に検知し得るコンクリート構造物に関する。
【背景技術】
【０００２】
コンクリート構造物は経年変化で内部応力によりひび割れが生じることがある。ひび割れが生じると単にコンクリート構造物の強度が低下するだけでなく、そのひび割れ部分から水分がコンクリート構造物の内部に侵入し、内部の鉄筋が腐食し、コンクリート構造物の強度が更に低下することになる。コンクリート構造物の延命化を図るためにはそのひび割れを補修する必要がある。
【０００３】
ひび割れの補修方法としては、コンクリート構造物の表面からひび割れ内部に補修材を注入するか、ひび割れ周辺のコンクリートをはつり取り、その部分に補修材を充填する方法が一般的である。しかし、補修材を注入する場合には、コンクリート構造物の表面を高圧洗浄し、注入器設置箇所の表面の凹凸をなくし、ひび割れ上に注入器をほぼ等間隔で設置し、注入器間のひび割れ部分から補修材が流出しないように注入器間のひび割れ部分をシールする（塞ぐ）必要があり、また、ひび割れ周辺のコンクリートをはつり取ってその部分に補修材を充填する場合には、コンクリート構造物のひび割れ表面部を所望の深さではつり取り、はつり取った部分のコンクリートの表面を高圧洗浄し、その後補修材を充填する必要があり、かなりの労力、費用を必要とする。
【０００４】
また、コンクリート構造物の補修方法として、コンクリート構造物内部にひび割れ誘発領域を形成し、流動性の補修材をひび割れ誘発領域内に注入するための注入孔を備えた注入用具をコンクリート内に埋設し、ひび割れ誘発領域内に誘発されたひび割れに注入用具の注入孔から補修材を注入するコンクリート構造物の補修方法が知られている（特許文献１参照）。しかしながら、特許文献１に記載の技術では、ひび割れの有無を確認することができない。
【０００５】
上記のようにしてコンクリート構造物のひび割れを補修するにしても、ひび割れを初期に検知できれば、更にはひび割れの前兆を検知できれば、補修が容易であり、必要な補修の範囲も狭くなるので費用も軽減できることになる。
【０００６】
【特許文献１】特開平１１−４４０９８号公報
【発明の開示】
【発明が解決しようとする課題】
【０００７】
本発明は、上記のような諸問題を解決すること、即ち、コンクリート構造物のひび割れの前兆の検知が可能となり、また少なくともひび割れを初期に検知できるコンクリート構造物を提供することを目的としている。
【課題を解決するための手段】
【０００８】
上記の目的を達成するために鋭意検討した結果、有色液を収容した破壊可能なカプセルをコンクリート構造物内に分散させることにより、上記の目的が達成されることを見出し、本発明を完成した。
【０００９】
即ち、本発明の第一の態様のコンクリート構造物は、コンクリート構造物内に該コンクリート構造物にひび割れを引き起こす程度の応力で破壊するカプセルが分散しており、該カプセル内に有色液が収容されていることを特徴とする。
【００１０】
また、本発明の第二の態様のコンクリート構造物は、コンクリート構造物が仮想的に複数の層からなり、各層内には該コンクリート構造物にひび割れを引き起こす程度の応力で破壊するカプセルが分散しており、異なる層内に存在するカプセル内にはそれぞれ異なる色の有色液が収容されていることを特徴とする。
【発明の効果】
【００１１】
本発明のコンクリート構造物においては、コンクリート構造物内に分散しているカプセルがコンクリート構造物にひび割れを引き起こす程度の応力で破壊するので、ひび割れの発生に先立って又はひび割れ時にカプセルが破壊され、カプセル内の有色液が漏れだしてコンクリート構造物の表面に滲み出ることになるので、コンクリート構造物のひび割れの前兆の検知が可能となり、また少なくともひび割れを初期に検知できる。
【発明を実施するための最良の形態】
【００１２】
本発明の第一の態様のコンクリート構造物においては、コンクリート構造物内に該コンクリート構造物にひび割れを引き起こす程度の応力で破壊するカプセルが分散しており、該カプセル内に有色液が収容されている。
【００１３】
本発明においては、コンクリート構造物にひび割れを引き起こす程度の応力で破壊するカプセルであればいかなるカプセルも使用できるが、コンクリート構造物にひび割れを引き起こす程度の応力が発生したときにその応力を受けて破壊するためには、コンクリートとの付着性が良好であることが必要であり、また、コンクリート構造物の強度を損なわないことが必要である。従って、例えば、微粉末骨材又は微粉末セラミックスとバインダーとの混合物から成形したカプセルであるか又は微粉末骨材又は微粉末セラミックスから焼結により成形したカプセルであることが好ましい。また、有色液としていかなるものも使用できるが、一般に市販されているインクを用いることができる。
【００１４】
本発明で用いる有色液を収容したカプセルは、例えば、図１に示すように、微粉末骨材又は微粉末セラミックスとバインダーとの混合物から筒状体１及び蓋体２とを別個に製造し、筒状体１内に有色液を入れ、その後蓋体２を接着剤で筒状体１に固定することによって製造することができる。この筒状体１は他の形状、例えば、中間部でくびれた瓢箪状であってもよい。
【００１５】
更に、本発明で用いる有色液を収容したカプセルは、微粉末骨材又は微粉末セラミックスから焼結により、或いは微粉末骨材又は微粉末セラミックスと一時バインダーとの混合物から焼結により筒状体１及び蓋体２とを別個に製造し、筒状体１内に有色液を入れ、その後蓋体２を接着剤で筒状体１に固定することによって製造することができる。
【００１６】
本発明で用いる有色液を収容したカプセルの大きさやコンクリート構造物内に分散させる相対量（コンクリートに対する相対量）はコンクリート構造物に必要な強度や打設作業の容易性などを考慮して決めればよい。
【００１７】
上記のカプセルをコンクリート構造物内に分散させる方法としては、コンクリートミキサー中でカプセルをコンクリート中に混合して打設しても、或いはコンクリートを打設する際にカプセルをコンクリート中に混入させながら打設してもよい。
【００１８】
本発明のコンクリート構造物においては、経年変化等によりコンクリート構造物にひび割れを引き起こす程度の応力が発生したときにその応力を受けて、ひび割れの発生に先立って又はひび割れ時にカプセルが破壊され、カプセル内の有色液が漏れだしてコンクリート構造物の表面に滲み出ることになるので、コンクリート構造物のひび割れの前兆の検知が可能となり、また少なくともひび割れを初期に検知できる。
【００１９】
本発明の第二の態様のコンクリート構造物においては、コンクリート構造物が仮想的に複数の層からなり、各層内には該コンクリート構造物にひび割れを引き起こす程度の応力で破壊するカプセルが分散しており、異なる層内に存在するカプセル内にはそれぞれ異なる色の有色液が収容されている。
【００２０】
本発明において「コンクリート構造物が仮想的に複数の層からなる」とは、実際には一体のコンクリート構造物であるが、異なる色の有色液を収容しているカプセルの分布状態に応じてコンクリート構造物を便宜的に層分けして説明するためである。例えば、図２にコンクリート構造物の一部分の断面図で示すように、コンクリート構造物がカプセルが分散していない層３、黄色の液を収容したカプセルが分散している層４、青色の液を収容したカプセルが分散している層５、及び赤色の液を収容したカプセルが分散している層６からなるとして説明するものである。ただし、これらの層の間は明確に区分できる必要がなく、相互に入り組んでいても何ら問題にはならない。
【００２１】
仮想的に複数の層、例えば４層からなるコンクリート構造物の構築は、例えば、図３の（ａ）に一部分の断面図、図３の（ｂ）に図３の（ａ）のＩ−Ｉ線断面図で示すように型枠７Ａと７Ｂとの間に、垂直方向に引き上げが可能な３枚の仕切板８Ａ、８Ｂ、８Ｃを配置し、型枠７Ａと仕切板８Ａとの間、仕切板８Ａと仕切板８Ｂとの間、仕切板８Ｂと仕切板８Ｃとの間、並びに仕切板８Ｃと型枠７Ｂとの間にそれぞれコンクリートを打設しながらそれぞれの間で異なる色の有色液を収容しているカプセルをコンクリート中に混入させ、所定の高さまでコンクリート９を打設した段階で仕切板８Ａ、８Ｂ、８Ｃを引き上げ、引き続いて上記のコンクリートの打設を繰り返して実施するか、或いは、上記のコンクリートの打設を連続的に行い、同時に仕切板８Ａ、８Ｂ、８Ｃの引き上げを連続的に行っても実施できる。なお、仕切板８Ａ、８Ｂ、８Ｃの各々の間を一定に保つために棒材１０でそれらの間を固定することができる。
【００２２】
上記のような仮想的に複数の層からなるコンクリート構造物においては、経年変化等によりコンクリート構造物にひび割れを引き起こす程度の応力が発生したときにその応力を受けて、ひび割れの発生に先立って又はひび割れ時にカプセルが破壊され、カプセル内の有色液が漏れだしてコンクリート構造物の表面に滲み出ることになるので、その滲み出た色により、コンクリート構造物のひび割れの前兆の検知が可能となり、また少なくともひび割れを初期に検知できるだけでなく、そのひび割れの深さも判断できることになる。
【図面の簡単な説明】
【００２３】
【図１】カプセルの製造に用いる筒状体及び蓋体を示す概略図である。
【図２】仮想的に複数の層からなるコンクリート構造物の構成を説明するための一部分の概略断面図である。
【図３】仮想的に複数の層からなるコンクリート構造物の構築を説明するための概略図である。
【符号の説明】
【００２４】
１  筒状体
２  蓋体
３  カプセルが分散していない層
４、５、６  有色液を収容しているカプセルが分散している層
７Ａ、７Ｂ  型枠
８Ａ、８Ｂ、８Ｃ  仕切板
９  コンクリート
１０  間隔を一定に保つための棒材
【図１】
2007262840.tif 000002
【図２】
2007262840.tif 000003
【図３】
2007262840.tif 000004